(57)【要約】  基地局（ＢＳ）の第１のセルに接続されたユーザ機器（ＵＥ）に対するハンドオーバ（ＨＯ）パラメータを設定する方法は、ＢＳで、ＵＥに対応する履歴データを受け取るステップであり、履歴データが、ＵＥが前に接続された複数のセルのそれぞれに対して、セルにおけるＵＥのＨＯ情報を含むエントリを含む、ステップと、ＢＳで、受け取った履歴データに基づいてＵＥの活動タイプを判定するステップと、ＢＳで、判定された活動タイプに基づき、ＵＥに対するＨＯパラメータを設定するステップであり、ＨＯパラメータが、ＵＥがＨＯイベントを開始するための条件を検出する方法を制御する、ステップとを含むことができる。
2016513936.tif 000002
【特許請求の範囲】
【請求項１】
基地局（ＢＳ）（１１０Ａ）の第１のセルに接続されたユーザ機器（ＵＥ）（１２２）に対してハンドオーバ（ＨＯ）パラメータを設定する方法であって、
前記ＢＳで、前記ＵＥに対応する履歴データを受け取るステップであり、前記履歴データが、前記ＵＥが前に接続された１つまたは複数のセルに対して、前記１つまたは複数のセルのそれぞれ１つにおける前記ＵＥのＨＯ情報を含む少なくとも１つのエントリを含む、ステップと、
前記ＢＳで、前記履歴データに基づいて前記ＵＥの活動タイプを判定するステップと、
前記ＢＳで、前記活動タイプに基づいて前記ＵＥに対する前記ＨＯパラメータを設定するステップであり、前記ＨＯパラメータが、前記ＵＥがＨＯイベントを開始するための条件を検出する方法を制御する、ステップと
を含む方法。
【請求項２】
前記ＨＯパラメータが、ヒステリシス値、オフセット値、およびトリガまでの時間（ＴＴＴ）値のうちの少なくとも１つを含む、請求項１に記載の方法。
【請求項３】
前記ＢＳが、拡張ノードＢ（ｅＮＢ）（１１０Ａ）であり、また前記方法が、
前記ｅＮＢで、前記ＵＥを、前記ＢＳの前記第１のセルに接続された状態から第２のセル（１１０Ｂ）に切り換えるためのＨＯオペレーションを実施することを決定するステップと、
前記ｅＮＢで、前記ＨＯオペレーションに関する情報を前記履歴データに含めることにより、前記ＵＥの前記履歴データを更新するステップと、
前記ｅＮＢから前記履歴データを、前記ｅＮＢに関連付けられたモビリティ管理エンティティ（ＭＭＥ）（１３０）に送るステップと
をさらに含む、請求項１に記載の方法。
【請求項４】
前記ＢＳにおける前記ＨＯパラメータセットは、前記ＵＥが、異なる無線アクセス技術（ＲＡＴ）タイプを有するセル間でＲＡＴ間ＨＯイベントを開始するための条件を検出する方法を制御するＲＡＴ間ＨＯパラメータと、前記ＵＥが、同じＲＡＴタイプを有するセル間でＲＡＴ内ＨＯイベントを開始するための条件を検出する方法を制御するＲＡＴ内ＨＯパラメータとを含む、請求項１に記載の方法。
【請求項５】
前記ＢＳで、前記ＵＥに対する前記ＨＯパラメータを設定する前記ステップが、前記ＵＥの前記活動タイプおよびアクティブなサービスタイプに基づいて前記ＨＯパラメータを設定するステップを含み、前記アクティブなサービスタイプが、保証されたビットレートおよびベスト・エフォートの一方である、請求項１に記載の方法。
【請求項６】
前記ユーザ機器（ＵＥ）（１２２）に対するハンドオーバ（ＨＯ）パラメータを設定することを容易にする方法が、
管理要素（１３０）で、前記ＵＥを基地局（ＢＳ）（１１０Ａ）に接続するための要求を受け取るステップと、
前記ＵＥに対応する履歴データを識別するステップであり、前記履歴データが、前記管理要素に記憶されている、ステップと、
前記要求に応じて、前記管理要素から前記履歴データを前記ＢＳに送るステップとを含み、
前記履歴データが、前記ＵＥが前に接続された１つまたは複数のセルに対して、前記セルにおける前記ＵＥのＨＯ情報を含むエントリを含む、方法。
【請求項７】
前記管理要素で、前記ＢＳに対する前記ＵＥの接続を解放するための要求を前記ＢＳから受け取るステップであり、前記要求が、前記ＵＥに対応する更新情報を含み、前記更新情報が、前記ＵＥが前記ＢＳに接続されていた間に生じた１つまたは複数のＨＯイベントを示している、ステップと、
前記更新情報に基づいて、前記管理要素に記憶された前記履歴データを更新するステップと
をさらに含む、請求項６に記載の方法。
【請求項８】
前記管理要素は、モビリティ管理エンティティ（ＭＭＥ）（１３０）であり、前記ＢＳは拡張ノードＢ（ｅＮＢ）（１１０Ａ）である、請求項６に記載の方法。
【請求項９】
基地局（ＢＳ）（１１０Ａ、１５１）であって、
前記ＢＳの第１のセルに接続されたユーザ機器（ＵＥ）（１２２）に対するハンドオーバ（ＨＯ）パラメータを設定するためのオペレーションを実行するように構成されたプロセッサ（１５８）を備え、前記オペレーションが、
前記ＢＳで、前記ＵＥに対応する履歴データを受け取るステップであり、前記履歴データが、前記ＵＥが前に接続された１つまたは複数のセルに対して、前記１つまたは複数のセルのそれぞれ１つに関係する前記ＵＥのＨＯ情報を含むエントリを含む、ステップと、
前記ＢＳで、前記履歴データに基づいて前記ＵＥの活動タイプを判定するステップと、
前記ＢＳで、前記活動タイプに基づいて前記ＵＥに対する前記ＨＯパラメータを設定するステップであり、前記ＨＯパラメータが、前記ＵＥがＨＯイベントを開始するための条件を検出する方法を制御する、ステップと
を含む、基地局（ＢＳ）（１１０Ａ、１５１）。
【請求項１０】
管理要素（１３０、１５１）であって、
ユーザ機器（ＵＥ）（１２２）に対するハンドオーバ（ＨＯ）パラメータを設定することを容易にするためのオペレーションを実行するように構成されたプロセッサ（１５８）を備え、前記オペレーションが、
前記管理要素で、前記ＵＥを基地局（ＢＳ）（１１０Ａ）に接続するための要求を受け取るステップと、
前記ＵＥに対応する履歴データを識別するステップであり、前記履歴データが、前記管理要素に記憶されている、ステップと、
前記要求に応じて、前記管理要素から前記履歴データを送るステップとを含み、
前記履歴データが、前記ＵＥが前に接続された１つまたは複数のセルに対して、前記１つまたは複数のセルのそれぞれ１つに関係する前記ＵＥのＨＯ情報を含むエントリを含む、管理要素（１３０、１５１）。
【発明の詳細な説明】
【技術分野】
【０００１】
例示の実施形態は、一般に、ロング・ターム・エボリューション（ＬＴＥ）ネットワークにおけるハンドオーバを処理することに関する。
【背景技術】
【０００２】
ユーザ機器ＵＥによりトリガされるＬＴＥハンドオーバ（ＨＯ）イベントは、ＨＯイベントをトリガする必要があるかどうかを判定するために使用されるＨＯパラメータ閾値に非常に影響を受けやすい。ＨＯパラメータ閾値は、本明細書にその全体が組み込まれる３ＧＰＰ  ＴＳ３６．３３１で指定されており、例えば、ヒステリシスおよびＡ３Ｏｆｆｓｅｔパラメータを含む。これらのパラメータは、セルまたは拡張ノードＢ（ｅＮＢ）ごとに構成され、かつセルまたはｅＮＢによりサービスされるすべてのＵＥに提供される。
【０００３】
異なるＵＥは、異なるサービスレベル契約（ＳＬＡ：ｓｅｒｖｉｃｅ  ｌｅｖｅｌ  ａｇｒｅｅｍｅｎｔ）を有することができ、また各ＳＬＡに関連する主要性能評価指標（ＫＰＩ：ｋｅｙ  ｐｅｒｆｏｒｍａｎｃｅ  ｉｎｄｉｃａｔｏｒ）は異なる可能性がある。セルまたはｅＮＢに対して選択された特定のＨＯパラメータ閾値は、ＵＥのＳＬＡに関して受け入れ可能なＫＰＩを維持するための、そのセルもしくはｅＮＢに接続されたＵＥの能力に影響を与える可能性がある。
【発明の概要】
【課題を解決するための手段】
【０００４】
少なくとも１つの例示的な実施形態によれば、基地局（ＢＳ）の第１のセルに接続されたユーザ機器（ＵＥ）に対してハンドオーバ（ＨＯ）パラメータを設定する方法は、ＢＳで、ＵＥに対応する履歴データを受け取るステップであり、履歴データが、ＵＥが前に接続された１つまたは複数のセルに対して、１つまたは複数のセルのそれぞれ１つにおけるＵＥのＨＯ情報を含む少なくとも１つのエントリを含む、ステップと、ＢＳで、履歴データに基づいてＵＥの活動タイプを判定するステップと、ＢＳで、活動タイプに基づいてＵＥに対するＨＯパラメータを設定するステップであり、ＨＯパラメータは、ＵＥがＨＯイベントを開始するための条件を検出する方法を制御する、ステップとを含む。
【０００５】
少なくとも１つの例示的な実施形態によれば、ＨＯパラメータは、ヒステリシス値、オフセット値、およびトリガまでの時間（ＴＴＴ）値のうちの少なくとも１つを含む。
【０００６】
少なくとも１つの例示的な実施形態によれば、ＢＳは拡張ノードＢ（ｅＮＢ）であり、また本方法は、ｅＮＢで、ＵＥを、ＢＳの第１のセルに接続された状態から第２のセルに切り換えるためのＨＯオペレーションを実施することを決定するステップと、ｅＮＢで、ＨＯオペレーションに関する情報を履歴データに含めることにより、ＵＥの履歴データを更新するステップと、ｅＮＢからの履歴データを、ｅＮＢに関連付けられたモビリティ管理エンティティ（ＭＭＥ）に送るステップをさらに含む。
【０００７】
少なくとも１つの例示的な実施形態によれば、ＢＳにおけるＨＯパラメータセットは、ＵＥが、異なる無線アクセス技術（ＲＡＴ）タイプを有するセル間でＲＡＴ間ＨＯイベントを開始するための条件を検出する方法を制御するＲＡＴ間ＨＯパラメータと、ＵＥが、同じＲＡＴタイプを有するセル間でＲＡＴ内ＨＯイベントを開始するための条件を検出する方法を制御するＲＡＴ内ＨＯパラメータとを含む。
【０００８】
少なくとも１つの例示的な実施形態によれば、ＢＳで、ＵＥに対するＨＯパラメータを設定するステップは、ＵＥの活動タイプおよびアクティブなサービスタイプに基づいてＨＯパラメータを設定するステップを含み、アクティブなサービスタイプは、保証されたビットレートおよびベスト・エフォートの一方である。
【０００９】
少なくとも１つの例示的な実施形態によれば、ユーザ機器（ＵＥ）に対するハンドオーバ（ＨＯ）パラメータの設定を容易にする方法は、管理要素で、ＵＥを基地局（ＢＳ）に接続するための要求を受け取るステップと、ＵＥに対応する履歴データを識別するステップであり、履歴データは管理要素に記憶されている、ステップと、要求に応じて、管理要素から履歴データをＢＳに送るステップとを含み、履歴データは、ＵＥが前に接続された１つまたは複数のセルに対して、セルにおけるＵＥのＨＯ情報を含むエントリを含む。
【００１０】
少なくとも１つの例示的な実施形態によれば、方法は、管理要素で、ＢＳに対するＵＥの接続を解放するためのＢＳからの要求を受け取るステップであり、要求は、ＵＥに対応する更新情報を含み、更新情報は、ＵＥがＢＳに接続されていた間に生じた１つまたは複数のＨＯイベントを示す、ステップと、更新情報に基づいて管理要素に記憶された履歴データを更新するステップとをさらに含むことができる。
【００１１】
少なくとも１つの例示的な実施形態によれば、管理要素は、モビリティ管理エンティティ（ＭＭＥ）であり、ＢＳは拡張ノードＢ（ｅＮＢ）である。
【００１２】
少なくとも１つの例示的な実施形態によれば、基地局（ＢＳ）は、ＢＳの第１のセルに接続されたユーザ機器（ＵＥ）に対するハンドオーバ（ＨＯ）パラメータを設定するためのオペレーションを実行するように構成されたプロセッサを含むことができ、オペレーションは、ＢＳで、ＵＥに対応する履歴データを受け取るステップであり、履歴データは、ＵＥが前に接続された１つまたは複数のセルに対して、１つまたは複数のセルのそれぞれ１つにおけるＵＥのＨＯ情報を含むエントリを含む、ステップと、ＢＳで、履歴データに基づいてＵＥの活動タイプを判定するステップと、ＢＳで、活動タイプに基づいてＵＥに対するＨＯパラメータを設定するステップであり、ＨＯパラメータは、ＵＥがＨＯイベントを開始するための条件を検出する方法を制御する、ステップとを含む。
【００１３】
少なくとも１つの例示的な実施形態によれば、ＨＯパラメータは、ヒステリシス値、オフセット値、およびトリガまでの時間（ＴＴＴ）のうちの少なくとも１つを含む。
【００１４】
少なくとも１つの例示的な実施形態によれば、ＢＳは、拡張ノードＢ（ｅＮＢ）であり、またプロセッサは、オペレーションが、ｅＮＢで、ＵＥを、ＢＳの第１のセルに接続された状態から第２のセルへと切り換えるためのＨＯオペレーションを実施することを決定するステップと、ｅＮＢで、ＨＯオペレーションに関する情報を履歴データに含めることにより、ＵＥの履歴データを更新するステップと、ｅＮＢからの履歴データを、ｅＮＢに関連付けられたモビリティ管理エンティティ（ＭＭＥ）に送るステップとをさらに含むように構成される。
【００１５】
少なくとも１つの例示的な実施形態によれば、プロセッサは、ＢＳにおけるＨＯパラメータセットが、異なる無線アクセス技術（ＲＡＴ）タイプを有するセル間でＲＡＴ間ＨＯイベントを開始するための条件をＵＥが検出する方法を制御するＲＡＴ間ＨＯパラメータと、同じＲＡＴタイプを有するセル間でＲＡＴ内ＨＯイベントを開始するための条件をＵＥが検出する方法を制御するＲＡＴ内ＨＯパラメータとを含むように構成される。
【００１６】
少なくとも１つの例示的な実施形態によれば、プロセッサは、ＢＳで、ＵＥに対するＨＯパラメータを設定するステップは、ＵＥの活動タイプおよびアクティブなサービスタイプに基づいてＨＯパラメータを設定するステップを含み、アクティブなサービスタイプは、保証されたビットレートおよびベスト・エフォートの一方であるように構成される。
【００１７】
少なくとも１つの例示的な実施形態によれば、管理要素は、ユーザ機器（ＵＥ）に対するハンドオーバ（ＨＯ）パラメータを設定することを容易にするためのオペレーションを実行するように構成されたプロセッサを含むことができ、オペレーションは、管理要素で、ＵＥを基地局（ＢＳ）に接続するための要求を受け取るステップと、ＵＥに対応する履歴データを識別するステップであり、履歴データは管理要素に記憶されている、ステップと、要求に応じて、管理要素から履歴データを送るステップとを含み、履歴データは、ＵＥが前に接続された１つまたは複数のセルに対して、１つまたは複数のセルのそれぞれ１つに関係するＵＥのＨＯ情報を含むエントリを含む。
【００１８】
少なくとも１つの例示的な実施形態によれば、プロセッサは、オペレーションが、管理要素で、ＢＳに対するＵＥの接続を解放するための要求をＢＳから受け取るステップであり、要求は、ＵＥに対応する更新情報を含み、更新情報は、ＵＥがＢＳに接続されていた間に生じたＨＯイベントを示す、ステップと、更新情報に基づいて管理要素に記憶された履歴データを更新するステップとをさらに含むように構成される。
【００１９】
少なくとも１つの例示的な実施形態によれば、管理要素は、モビリティ管理エンティティ（ＭＭＥ）であり、ＢＳは拡張ノードＢ（ｅＮＢ）である。
【００２０】
例示的な実施形態は、以下で提供される詳細な説明、および同様の要素が同様の参照数字で表される添付図面からより十分に理解され、それらは、例示のためだけに示されており、したがって、限定するものではない。
【図面の簡単な説明】
【００２１】
【図１Ａ】無線通信ネットワークの一部を示す図である。
【図１Ｂ】Ａ３イベントに関連する異なるＨＯパラメータ閾値を説明するための図である。
【図１Ｃ】少なくとも１つの例示的な実施形態によるネットワーク要素１５１の例示的な構造を示す図である。
【図２】少なくとも１つの例示的な実施形態に従ってＨＯパラメータを更新するための方法を示す流れ図である。
【図３】少なくとも１つの例示的な実施形態に従ってＨＯパラメータの更新を容易にするために、ＵＥ履歴情報を提供するプロセスを示す流れ図である。
【発明を実施するための形態】
【００２２】
いくつかの例示的な実施形態が示されている添付図面を参照して、次に少なくとも１つの例示的な実施形態をより十分に述べるものとする。
【００２３】
詳細な例示的な実施形態が本明細書で開示される。しかし、本明細書で開示される特有の構造的、かつ機能的な細部は、少なくとも１つの例示的な実施形態を述べるために示しているに過ぎない。しかし、例示的な実施形態は、多くの代替形態で実施することができ、本明細書に記載された実施形態だけに限定されるものと解釈されるべきではない。
【００２４】
したがって、例示的な実施形態は、様々な適合形態および代替形態が可能であるが、その諸実施形態は、図面で例として示され、本明細書で詳細に述べられる。しかし、例示的な諸実施形態を、開示された特定の形態に限定するように意図されておらず、そうではなくて、例示的な諸実施形態は、例示的な実施形態の範囲に含まれるすべての適合形態、均等な形態、および代替形態を包含することを理解されたい。図の説明の全体を通じて、同様の番号は同様の要素を指す。本明細書で使用される場合、「および（かつ）／または」という用語は、関連する列挙された項目の１つまたは複数のものの任意の、およびすべての組合せを含む。
【００２５】
ある要素が、他の要素に「接続される」、または「結合される」と称される場合、それは、他の要素に直接的に接続または結合され得る、あるいは介在する要素が存在し得ることが理解されよう。それとは反対に、ある要素が、他の要素に「直接接続される」または「直接結合される」と称される場合、介在する要素は存在しない。要素間の関係を記述するために使用される他の用語も同様に解釈されるべきである（例えば、「〜の間」と「〜の間で直接」、「〜に隣接する」と「〜に直接隣接する」など）。
【００２６】
本明細書で使用される専門用語は、特定の実施形態を記述するためだけのものであり、例示的な実施形態を限定するようには意図されていない。本明細書で使用される場合、単数形である「１つの（ａ）」、「１つの（ａｎ）」、および「その（ｔｈｅ）」は、文脈が明確にその他の形を示していない限り、複数形も同様に含むことが意図されている。「備える／含む（ｃｏｍｐｒｉｓｅ）」、「備えている／含んでいる（ｃｏｍｐｒｉｓｉｎｇ）」、「含む（ｉｎｃｌｕｄｅ）」、および／または「含んでいる（ｉｎｃｌｕｄｉｎｇ）」という用語は、本明細書で使用される場合、述べられた特徴、整数、ステップ、オペレーション、要素、および／または構成要素の存在を指定するが、１つまたは複数の他の特徴、整数、ステップ、オペレーション、要素、構成要素、および／またはそれらの群の存在もしくは追加を除外するものではないことがさらに理解されよう。
【００２７】
いくつかの代替的な実装形態では、述べられた機能／行為は、図に記された順序を変えて実施できることにも留意されたい。例えば、連続して示された２つの図は、実際には、関連する機能／行為に応じて、実質的に同時に実行され得る、または時には逆の順序で実行され得る。
【００２８】
本明細書で使用される場合、ユーザ機器（ＵＥ）という用語は、端末、移動ユニット、移動局、移動ユーザ、アクセス端末（ＡＴ）、加入者、ユーザ、遠隔ステーション、受信器などと同義のものと見なされ、かつ以降でそのように称されることもあるが、無線通信ネットワークにおける無線資源の遠隔ユーザを表すことができる。拡張されたｅＮｏｄｅＢ（ｅＮＢ）という用語は、送受信機基地局（ＢＴＳ）、ノードＢ、基地局（ＢＳ）、アクセスポイント（ＡＰ）などと同義であると見なすことができ、かつ／またはそのように称することができ、またネットワークと１つまたは複数のユーザとの間のデータおよび／または音声接続のための無線ベースバンド機能を提供する機器を表すことができる。
【００２９】
例示的な実施形態は、適切なコンピューティング環境で実施されるものとして本明細書で論じられる。必ずしも必要ではないが、例示的な実施形態は、１つまたは複数のコンピュータ・プロセッサまたはＣＰＵにより実行されるプログラムモジュールまたは機能的なプロセスなど、コンピュータ実行可能命令の一般的な文脈で記述される。概して、プログラムモジュール、または機能的なプロセスは、特定のタスクを実施する、または特定の抽象データ型を実施するルーチン、プログラム、オブジェクト、コンポーネント、データ構造などを含む。
【００３０】
本明細書で論じられるプログラムモジュールおよび機能的なプロセスは、既存の通信ネットワークの既存のハードウェアを用いて実施することができる。例えば、本明細書で論ずるプログラムモジュールおよび機能的なプロセスは、既存のネットワーク要素または制御ノード（例えば、図１で示すｅＮＢまたはＭＭＥなど）における既存のハードウェアを使用して実施することができる。このような既存のハードウェアは、１つまたは複数のデジタル信号プロセッサ（ＤＳＰ）、特定用途向け集積回路、書替え可能ゲートアレイ（ＦＰＧＡ）コンピュータ、または同様のものを含むことができる。
【００３１】
以下の説明では、例示的な実施形態は、その他の形で示されない限り、１つまたは複数のプロセッサにより実施される（例えば、流れ図の形態の）オペレーションの行為および記号的表現を参照して述べられることになる。したがって、時には、コンピュータで実行されると称されるこのような行為およびオペレーションは、構造化された形態でデータを表す電気信号のプロセッサによる操作を含むことが理解されよう。この操作は、データを変換する、またはデータをコンピュータの記憶システムにおける場所に維持して、当業者によりよく理解される方法で、コンピュータの動作を再構成する、またはその他の形で変更する。
【００３２】
ネットワークアーキテクチャの概要
図１Ａは、無線通信ネットワーク１００の一部を示す。無線通信ネットワーク１００は、例えば、ＬＴＥプロトコルに従うことができる。無線通信ネットワーク１００は、モビリティ管理エンティティ（ＭＭＥ）１３０と、第１の進化ノードＢ（ｅＮＢ）１１０Ａと、第２のｅＮＢ１１０Ｂと、第１のＵＥ１２２、第２のＵＥ１２４、第３のＵＥ１２６、および第４のＵＥ１２８を含む複数のユーザ機器（ＵＥ）１２０と、ホーム加入サーバ（ＨＳＳ）１４０と、ポリシー／課金制御機能ノード（ＰＣＲＦ：ｐｏｌｉｃｙ  ａｎｄ  ｃｈａｒｇｉｎｇ  ｒｕｌｅｓ  ｆｕｎｃｔｉｏｎ  ｎｏｄｅ）１５０と、サービング・ゲートウェイ（Ｓ−ＧＷ）１６０と、ｐｕｂｌｉｃ  ｄａｔａ  ｎｅｔｗｏｒｋ（ＰＤＮ）ゲートウェイ（Ｐ−ＧＷ）１７０とを含む。
【００３３】
ＵＥ１２０は、第１のｅＮＢ１１０Ａと第２のｅＮＢ１１０Ｂのいずれとも無線通信することができる。第１のｅＮＢ１１０Ａおよび第２のｅＮＢ１１０Ｂは、ＭＭＥ１３０に接続される。図示されていないが、無線通信ネットワーク１００は、ＭＭＥ１３０に加えて、ＬＴＥコアネットワークの他の要素を含むことができる。ＵＥ１２０は、例えば、移動電話、スマートフォン、コンピュータ、または携帯情報端末（ＰＤＡ）とすることができる。
【００３４】
第１のｅＮＢ１１０Ａおよび第２のｅＮＢ１１０Ｂはまた、サービング・ゲートウェイ１６０に接続され得る。Ｓ−ＧＷ１６０は、第１のｅＮＢ１１０Ａまたは第２のｅＮＢ１１０Ｂに接続されたＵＥのユーザ・データパケットを経路指定し、かつ転送することができる。Ｓ−ＧＷ１６０は、第１のｅＮＢ１１０Ａおよび第２のｅＮＢ１１０Ｂに対してＰ−ＧＷ１７０へのアクセスを提供する。Ｐ−ＧＷ１７０は、第１のｅＮＢ１１０Ａおよび第２のｅＮＢ１１０Ｂに、例えば、インターネットを含む他のパケット・データ・ネットワークへのアクセスを提供する。簡単にするために、第１のｅＮＢ１１０Ａおよび第２のｅＮＢ１１０Ｂのオペレーションは、主として、第１のｅＮＢ１１０Ａを参照して論ずるものとする。しかし、第２のｅＮＢ１１０Ｂは、第１のｅＮＢ１１０Ａを参照して論じたものと同様に動作することができる。
【００３５】
ハンドオフ（ＨＯ）閾値の説明
上記で述べたように、ＵＥによりトリガされるＬＴＥハンドオーバ（ＨＯ）イベントは、各セルまたはｅＮＢに対して構成されたＨＯパラメータ閾値に非常に影響を受けやすい。ＨＯパラメータ閾値は、例えば、Ａ３ヒステリシス、Ａ３オフセット、およびトリガまでの時間（ＴＴＴ）パラメータを含む。図１Ｂは、Ａ３イベントに関連する異なるＨＯパラメータ閾値を説明するための図である。図１Ｂは、時間経過と共にＵＥにより測定された、近隣セルに対する基準信号受信電力（ＲＳＲＰ）、サービングセルに対するＲＳＲＰ、ならびに関連するＡ３ヒステリシスおよびＡ３オフセット値を示している。図１Ｂはまた、２つの時間期間、すなわち、ＴＴＴおよび報告間隔を示している。本明細書で使用される場合、サービングセルは、ＵＥが現在接続されているセルであり、近隣セルは、ＵＥが現在接続されていない異なるセルである。サービングセルと近隣セルは共に、ＵＥの現在の位置を含む通達領域を有することができる。
【００３６】
一般に、差［（近隣セルのＲＳＲＰ）−（サービングセルのＲＳＲＰ）］が合計［（（Ａ３ヒステリシス）＋（Ａ３オフセット）］を超えるとＵＥが判定した後、図１Ｂで示すポイント１により示されるように、ＵＥは、Ａ３イベントに対する条件を検出する。さらに、ハンドオーバの決定はまた、例えば、基準信号受信品質（ＲＳＲＱ）を含む品質基準に基づくことができる。図１Ｂで示されたポイント２により示されるように、ＴＴＴパラメータに等しい時間期間の後に、検出された条件がなお存在していた場合、ＵＥは、図１Ｂのポイント２で示されるようにＡ３測定報告を送る。例えば、ＵＥは、Ａ３測定報告をサービングセルのｅＮＢに送ることができる。ｅＮＢは、知られた方法に従って、ＨＯオペレーションを開始するかどうかを判定することにより、Ａ３測定報告に応ずることができる。Ａ３測定報告を送った後、ＵＥがｅＮＢから応答を受け取らなかった場合、ＵＥは、図１Ｂのポイント３で示されるように、報告間隔が経過した後、別のＡ３測定報告を送ることができる。ポイント１で検出された条件が持続し、かつＵＥがｅＮＢからから応答を受信しない限り、ＵＥは、報告間隔に等しい時間間隔で、Ａ３測定報告を送り続けることができる。
【００３７】
現在のＬＴＥフィールド展開からの観察に基づいて、Ａ３ヒステリシスとＡ３オフセットの組み合わされた合計であるＨｙＯｆ閾値を２ｄＢから６ｄＢに増加させたとき、平均のＨＯレートは、約４分の１ないし５分の１に減少した。しかし、概して、例えば、Ａ３ヒステリシス、Ａ３オフセット、およびＴＴＴパラメータなど、ＨＯパラメータ閾値に対する１つの構成が、所与のセルもしくはｅＮＢに接続されたすべてのＵＥに対して最適ではない可能性があり、またすべてのＵＥのサービスレベル契約（ＳＬＡ）に関連する主要性能評価指標（ＫＰＩ）をサポートできない可能性があり、それは、ＵＥがアクティブな実時間セッションを有するとき、またはＵＥが中間的な、もしくは高速の移動性を有するときは特にそうである。
【００３８】
例えば、６ｄＢなどのより高いＨｙＯｆ閾値は、低い移動性を有し、かつベスト・エフォート用途をサポートするに過ぎないＵＥに対しては受け入れ可能であり、したがって、比較的長い遅延を許容することができる。しかし、実時間用途もしくはサービスを有するＵＥ、または例えば、走行中の車または列車のＵＥのように高速で移動するＵＥなど、高い移動性を有するＵＥに対しては、より高いＨｙＯｆ閾値は、ＵＥがいくつかのＫＰＩ目標を満たすのを妨げる可能性がある。より高いＨｙＯｆ閾値はまた、無線リンク障害（ＲＬＦ）およびＨＯ障害を含む障害シナリオの増加をトリガし、かつ音声ベアラの音声品質に影響を与える可能性がある。したがって、より高いＨｙＯＦ閾値は、少なくともいくつかのＵＥに対してＵＥ体験の品質を落とす結果になり得る。
【００３９】
例えば、２ｄＢなどの低いＨｙＯｆ閾値は、かなり高いＨＯレートを生ずる可能性があり、それは、ピンポンシナリオを生ずることになり得る。より高いＨＯレートは、ネットワークにおけるシグナリング負荷を増加させて、ＵＥの電池寿命を低下させるおそれがある。したがって、より低いＨｙＯｆ閾値は、少なくともいくつかのＵＥに対してＵＥ体験の品質を低下させることになり得る。
【００４０】
したがって、ＲＡＴ内、および無線アクセス技術間（ＩＲＡＴ）ＨＯレートを最小化し、ＵＥがＫＰＩ目標を容易に満たせるようにするために、ＨＯパラメータを更新するためのプロセスを有することは望ましいはずである。ＨＯパラメータを更新するためのプロセスを、次に以下で、より詳細に論ずるものとする。簡単にするために、本明細書における論議は、Ａ３測定報告および関係するパラメータに焦点を当てているが、例示的な実施形態は、例えば、Ａ１〜Ａ６、およびＢ１〜Ｂ２測定報告を含む３ＧＰＰ仕様で指定されたすべての測定報告に適用することができる。
【００４１】
ＨＯパラメータを更新するための方法の概要
図１Ｃは、少なくとも１つの例示的な実施形態によるネットワーク要素１５１の例示的な構造を示す図である。少なくとも１つの例示的な実施形態によれば、例えば、第１のｅＮＢ１１０Ａおよび第２のｅＮＢ１１０Ｂ、ならびにＭＭＥ１３０を含むｅＮＢまたはＭＭＥのいずれかは、以下で述べるネットワーク要素１５１の構造およびオペレーションを有することができる。図１Ｃを参照すると、ネットワーク要素１５１は、例えば、データバス１５９、送信ユニット１５２、受信ユニット１５４、記憶ユニット１５６、および処理ユニット１５８を含むことができる。
【００４２】
送信ユニット１５２、受信ユニット１５４、記憶ユニット１５６、および処理ユニット１５８は、データバス１５９を用いて互いにデータを送り、かつ／またはデータを受け取ることができる。送信ユニット１５２は、１つまたは複数の有線接続または無線接続を介して、無線通信ネットワーク１００における他のネットワーク要素に、例えば、データ信号、制御信号、および信号品質情報を含む有線および／または無線信号を送信するためのハードウェア、および任意の必要なソフトウェアを含むデバイスである。
【００４３】
受信ユニット１５４は、通信ネットワーク１００の他のネットワーク要素への１つまたは複数の有線もしくは無線接続を介して、例えば、データ信号、制御信号、および信号品質情報を含む無線および／または有線信号を受信するためのハードウェアおよび任意の必要なソフトウェアを含むデバイスである。
【００４４】
記憶ユニット１５６は、磁気記憶装置、フラッシュ記憶装置などを含む、データを記憶できる任意のデバイスとすることができる。
【００４５】
処理ユニット１５８は、例えば、入力データに基づいて特定のオペレーションを実行するように構成されたマイクロプロセッサを含むデータ処理のできる、かつ／またはコンピュータ可読コードに含まれる命令を実行できる任意のデバイスとすることができる。
【００４６】
ネットワーク要素１５１、第１のｅＮＢ１１０Ａおよび第２のｅＮＢ１１０Ｂ、ならびにＭＭＥ１３０を動作させるための例示的な方法を、次に、図２および図３を参照してより詳細に以下で論ずる。
【００４７】
少なくとも１つの例示的な実施形態によれば、ｅＮＢにより実施されるものとして図２および図３で示された、または図２および図３に関して述べられたオペレーションのそれぞれは、例えば、図１Ｃで示されたネットワーク要素１５１の構造を有するｅＮＢにより実施することができる。同様に、ＭＭＥにより実施されるものとして図２および図３で示された、または図２および図３に関して述べられたオペレーションのそれぞれは、例えば、図１Ｃで示されたネットワーク要素１５１の構造を有するＭＭＥにより実施することができる。例えば、記憶ユニット１５６は、図２および図３を参照して以下で述べられるオペレーションのそれぞれに対応する実行可能な命令を記憶することができる。さらに、プロセッサユニット１５８は、例えば、記憶ユニット１５６に記憶された命令を実行することにより、図２および図３に関して以下で述べるオペレーションのそれぞれを実施するように構成することができる。さらに少なくとも１つの例示的な実施形態によれば、送信または受信されるものとして図２および図３のいずれかを参照して述べられるデータもしくは制御信号に関して、送信データおよび／または制御信号は、送信ユニット１５２により送信することができ、また受信信号および／または制御信号は、受信ユニット１５４により受信することができる。
【００４８】
図２は、少なくとも１つの例示的な実施形態に従ってＨＯパラメータを更新するための方法を示す流れ図である。図２は、第１のｅＮＢ１１０Ａの観点から、図１Ａの通信ネットワーク１００を参照して述べられる。しかし、第１のｅＮＢ１１０Ａに関して以下で述べるオペレーションは、例えば、第２のｅＮＢ１１０Ｂを含む通信ネットワーク１００における任意のｅＮＢにより実施することができる。
【００４９】
図２を参照すると、ステップＳ２１０で、第１のｅＮＢ１１０Ａは、ＭＭＥ１３０からＵＥ履歴を受け取る。例えば、第１のＵＥ１２２が第１のｅＮＢ１１０Ａの通達領域に入り、第１のｅＮＢ１１０Ａに接続するための要求を送ると、要求は、第１のｅＮＢ１１０Ａで受信されて、知られたプロシージャに従って第１のｅＮＢ１１０ＡによりＭＭＥ１３０に転送され得る。要求が第１のｅＮＢ１１０ＡによりＭＭＥ１３０に転送されたのに応じて、ＭＭＥ１３０は、第１のＵＥ１２２のＵＥ履歴をｅＮＢ１１０Ａに送ることができる。例えば、第１のＭＭＥ１３０は、ｅＮＢ１１０Ａへの初期コンテキスト設定要求（ｉｎｉｔｉａｌ  ｃｏｎｔｅｘｔ  ｓｅｔｕｐ  ｒｅｑｕｅｓｔ）メッセージで、ＵＥ履歴をｅＮＢ１１０Ａに送ることができる。例えば、ｅＮＢ１１０Ａにより受信された初期コンテキスト設定要求メッセージは、３ＧＰＰ仕様ＴＳ２３．４０１で定義されたものとすることができる。
【００５０】
例示的な実施形態によれば、ＭＭＥ１３０は、通信ネットワーク１００内のＵＥに対応するＵＥ履歴を記憶する。各ＵＥ履歴は、ＲＡＴ内情報およびＩＲＡＴ情報を含むことができる。ＲＡＴ内情報に関して、ＲＡＴ内情報は、ＵＥが接続されていた最後のＮ個のセルに関する情報を含むことができ、Ｎは任意の正の整数とすることができる。例えば、Ｎは、ネットワーク・オペレータのプリファレンスに従って設定することができる。例えば、ＵＥ履歴は、ＵＥが接続されていた最後の５〜１０個のセルに関する情報を含むことができる。
【００５１】
ＵＥ履歴のＲＡＴ内情報に含まれるＮ個のセルのそれぞれに対して、ＵＥ履歴におけるセルに対するＲＡＴ内情報は、以下のものを含む様々な情報を含むことができる。ＵＥ履歴は、セルを識別するためにセルのセルＩＤを含むことができる。ＵＥ履歴は、セルに接続された状態にあったＵＥの時間量を含むことができる。ＵＥ履歴は、ＵＥがセルに接続されたときに使用された、例えば、使用されたヒステリシス値、使用されたオフセット値、および／または使用されたＴＴＴ値などを含むＨＯパラメータを含むことができる。ＵＥ履歴はまた、ＨＯイベントのタイムスタンプを含むこともできる。例えば、ＨＯイベントのタイムスタンプは、ＵＥが新しいセルにハンドオーバされる結果となるＨＯイベントが開始された時点を示すことができる。さらにＵＥ履歴は、ＵＥから送られた各接続要求に対応するエントリを含むことができる。その結果、ＵＥが、同じセルに対して一連の連続する接続要求を送った場合、同じセルに対する一連の連続するエントリが、ＵＥ履歴に生ずるはずである。
【００５２】
以下でより詳細に論ずるように、少なくとも１つの例示的な実施形態によれば、Ｎ個のセルのそれぞれに対して、セルに対応するＵＥ履歴のＲＡＴ内情報のエントリが、セルのｅＮＢによりＵＥ履歴に追加される。
【００５３】
各ＵＥに対するＵＥ履歴に含まれるＩＲＡＴ情報に関して、ＩＲＡＴ情報は、ＵＥが接続されていた最後のＮ個のセルのいずれかに含まれるＩＲＡＴ  ＨＯイベントに関する情報を含むことができる。例えば、知られた方法によれば、ＩＲＡＴ  ＨＯイベント中に、ＭＭＥ１３０は、ｉ）ＵＥが、例えば、別のＲＡＴタイプのセルから、第１のｅＮＢ１１０Ａおよび第２のｅＮＢ１１０Ｂの一方に切り換えることによりＨＯオペレーションを完了することを望んでいること、またはｉｉ）ＵＥが、例えば、第１のｅＮＢ１１０Ａおよび第２のｅＮＢ１１０Ｂの一方から、別のＲＡＴタイプのセルに切り換えることによりＨＯオペレーションを完了することを望んでいることを示すＳ１解放（Ｓ１  ｒｅｌｅａｓｅ）もしくはＳ１  ＨＯメッセージを受信することができる。特定のＵＥを含むＩＲＡＴ  ＨＯイベントに関してＭＭＥ１３０で受信されたＳ１解放および／またはＳ１  ＨＯメッセージを用いて、ＭＭＥ１３０は、ＩＲＡＴ  ＨＯオペレーションの起点（すなわち、そこからセルが切り換えられる）、またはＩＲＡＴ  ＨＯオペレーションの目標（すなわち、セルが切り換えられる先）のいずれかである各セルに対して、そのＵＥに対するＵＥ履歴のＩＲＡＴ情報にエントリを作ることができる。さらに、ＵＥ履歴のＩＲＡＴ情報の各エントリに対して、ＭＭＥ１３０は、Ｓ１解放またはＨＯメッセージが、ＩＲＡＴ  ＨＯイベントが受信されたことを示している時点を示すＩＲＡＴ  ＨＯイベント・タイムスタンプを含むことができる。ステップＳ２２０で、第１のｅＮＢ１１０Ａは、第１のＵＥ１２２のＵＥ履歴に基づいて、第１のＵＥ１２２の活動タイプを判定することができる。
【００５４】
例えば、第１のＵＥ１２２のＵＥ履歴に含まれる情報を用いて、第１のｅＮＢ１１０Ａは、セル内の第１のＵＥ１２２の位置、および第１のＵＥ１２２の移動性を含む第１のＵＥ１２２の属性を決定することができる。ＵＥの位置および移動性は共に、ＵＥの活動タイプとして特徴付けることができる。各ｅＮＢで、各ＵＥは、ＲＡＴ内活動タイプ、およびＩＲＡＴ活動タイプを有することがｅＮＢにより判定され得る。
【００５５】
例えば、第１のＵＥ１２２のＵＥ履歴を用いて、第１のｅＮＢ１１０Ａは、第１のＵＥ１２２のＲＡＴ内活動タイプを、高速ＵＥ（ＵＥ−ＨＳ）、セルの境界付近の低速ＵＥ（ＵＥ−ＬＳＢＣ）、セルの中心付近の低速ＵＥ（ＵＥ−ＬＳＣＣ）、またはＵＥ−ＨＳ、ＵＥ−ＬＳＢＣ、およびＵＥ−ＬＳＣＣタイプのいずれでもないとして分類することができる。
【００５６】
例えば、ＵＥ−ＨＳ活動タイプは、例えば、周波数間、およびＲＡＴ内イベントを含む複数のセルもしくはｅＮＢにわたるＨＯを生成する中速／高速（例えば、列車または車の速度）の移動性ＵＥを示すことができる。したがって、第１のｅＮＢ１１０Ａは、第１のＵＥ１２２のＵＥ履歴が、ＵＥが最後にアクティブであったいくつかの異なるセル・エントリを含む場合、第１のＵＥ１１２のＲＡＴ内活動タイプをＵＥ−ＨＳと判定することができる。少なくとも１つの例示的な実施形態によれば、異なるセル・エントリは、異なるｅＮＢからのものとすることができる。例えば、第１のＵＥ１２２のＵＥ履歴が、例えば、１５分などの基準時間量Ｔ１にわたり第１のＵＥ１２２が接続されていた異なるセルの数が、例えば、４つのセルなどセルの基準数を超えていることを示す場合、第１のｅＮＢ１１０Ａは、第１のＵＥ１２２のＲＡＴ内活動タイプはＵＥ−ＨＳであると判定することができる。基準時間Ｔ１およびセルの数は、通信ネットワーク１００のオペレータのプリファレンスに従って設定することができる。
【００５７】
ＵＥ−ＬＳＢＣ活動タイプは、低速の移動性（例えば、歩行者速度、またはさらに遅い速度）を備えたセルの境界付近に位置するＵＥを示すことができる。ＵＥ−ＬＳＢＣタイプのＵＥは、例えば、２つのセルなど、少数のセル間のＨＯイベントをトリガすることができる。したがって、第１のｅＮＢ１１０Ａは、第１のＵＥ１２２のＵＥ履歴が、第１のＵＥ１２２が同じ小グループのセルに接続された状態で比較的長い時間期間を使っている（すなわち、時間およびセルの数が選択された閾値未満である）ことを示している場合、第１のＵＥ１１２のＲＡＴ内活動タイプをＵＥ−ＬＳＢＣであると判定することができる。例えば、第１のＵＥ１２２のＵＥ履歴が、例えば、１５分などの基準時間量Ｔ２にわたり第１のＵＥ１２２が接続されていたセル数が１を超えるが、例えば、同じ２〜３個のセルなど、セルの基準数を超えないことを示す場合、第１のｅＮＢ１１０Ａは、第１のＵＥ１２２のＲＡＴ内活動タイプをＵＥ−ＬＳＢＣであると判定することができる。
【００５８】
ＵＥ−ＬＳＣＣ活動タイプは、時間の「長い期間」（例えば、１５分を超える、１時間など）にわたり、何らかの移動性イベントをトリガすることのない最小の移動性を有するＵＥを示し、同じセルによりサービスされることになる。したがって、第１のｅＮＢ１１０Ａは、第１のＵＥ１２２のＵＥ履歴が、第１のＵＥ１２２が同じセルに、または同じｅＮＢの異なる周波数のセルに接続された状態で長い時間期間が経過していることを示す場合、第１のＵＥ１１２のＲＡＴ内活動タイプをＵＥ−ＬＳＣＣであると判定することができる。例えば、第１のＵＥ１２２のＵＥ履歴が、同じｅＮＢに関連付けられた異なる周波数のセルを除いて、例えば、１５分など、基準の時間量Ｔ３にわたり第１のＵＥ１２２が接続されていた異なるセルの数が、１個のセルを超えないことを示す場合、第１のｅＮＢ１１０Ａは、第１のＵＥ１２２のＲＡＴ内活動タイプがＵＥ−ＬＳＣＣであると判定することができる。
【００５９】
基準の時間量に対する閾値Ｔ１〜Ｔ３は、ネットワーク１００のオペレーションのプリファレンスに従って設定され、互いに対して同じに、または異なることができる。同様に、ＵＥ−ＨＳ、ＵＥ−ＬＳＢＣ、およびＵＳ−ＬＳＣＣタイプの検出のためのセルの基準数は、ネットワーク１００のオペレータのプリファレンスに従って設定され、かつ互いに対して同じに、または異なることができる。
【００６０】
さらに、第１のＵＥ１２２のＵＥ履歴を用いて、第１のｅＮＢ１１０Ａは、第１のＵＥ１２２のＩＲＡＴ活動タイプを、セルのＩＲＡＴ境界付近の低速ＵＥである（ＵＥ−ＬＳＢＣＩ）と分類することができる。ＵＥ−ＬＳＢＣＩ活動タイプは、低速の移動性（例えば、歩行者速度、またはさらに遅い速度）を有する、セルのＩＲＡＴ境界付近に位置するＵＥを示すことができる。ＵＥ−ＬＳＢＣＩタイプのＵＥは、例えば、１つまたは２つなど、例えば、比較的少数のセルを含む、比較的高い数のＩＲＡＴ  ＨＯイベントをトリガすることができる。したがって、第１のｅＮＢ１１０Ａは、第１のＵＥ１２２のＵＥ履歴におけるＩＲＡＴ情報が、第１のＵＥ１２２が、例えば、５分などの基準時間量Ｔ４にわたりＩＲＡＴ  ＨＯイベントの基準量を超えて生成したことを示す場合、第１のＵＥ１１２のＩＲＡＴ活動タイプがＵＥ−ＬＳＢＣＩであると判定することができる。例えば、第１のＵＥ１２２のＵＥ履歴が、最後の１５分にわたり第１のＵＥ１２２により生じたＩＲＡＴ  ＨＯイベントの数が、例えば、５回のＩＲＡＴ  ＨＯイベントなど、ＩＲＡＴ  ＨＯイベントの基準数を超えることを示す場合、第１のｅＮＢ１１０Ａは、第１のＵＥ１２２のＩＲＡＴ活動タイプをＵＥ−ＬＳＢＣＩであると判定することができる。あるいは、第１のｅＮＢ１１０Ａは、第１のＵＥ１２２を、ＩＲＡＴ活動タイプを有していると分類せずに、ステップＳ２３０参照して以下でより詳細に論ずるように、デフォルトのＩＲＡＴ  ＨＯパラメータの使用をトリガすることができる。
【００６１】
時間量Ｔ４の基準値、およびＩＲＡＴ  ＨＯイベントの基準数はそれぞれ、通信ネットワーク１００のオペレータのプリファレンスに従って設定することができる。さらに、例えば、５分など、閾値Ｔ５未満の時間量に対応するＲＡＴ内情報エントリを有するＵＥ履歴を有するＵＥは、ＲＡＴ内活動タイプＵＥ−ＨＳ、ＵＥ−ＬＳＢＣ、およびＵＥ−ＬＳＣＣのいずれかを有するものとして分類され、したがって、ステップＳ２３０を参照して以下でより詳細に論ずるように、デフォルトのＲＡＴ間ＨＯパラメータの使用をトリガすることができる。同様に、例えば、５分など、閾値Ｔ５未満の時間量に対応するＩＲＡＴ情報エントリを有するＵＥ履歴を有するＵＥは、ＲＡＴ内活動タイプのいずれかを有するものとして分類され、したがって、ステップ２３０を参照して以下でより詳細に論ずるように、デフォルトのＩＲＡＴ  ＨＯパラメータの使用をトリガすることができる。閾値Ｔ５は、ネットワーク・オペレータのプリファレンスに従って設定することができる。したがって、少なくとも１つの例示的な実施形態によれば、ＵＥの活動タイプは、意味のある活動データを含めるために、ＵＥ履歴に関して十分な時間が経過した後に限って、対応するＵＥ履歴における活動データに基づいて上記で論じたＵＥ−ＨＳ、ＵＥ−ＬＳＣＣ、およびＵＥ−ＬＳＢＣタイプのうちの１つに対応するように決定することができる。
【００６２】
ステップＳ２３０で、第１のｅＮＢ１１０Ａは、ステップＳ２２０で判定された第１のＵＥ１２２の活動タイプに基づいて、第１のＵＥ１２２に対して使用されるＨＯパラメータを設定することができる。
【００６３】
例えば、通信ネットワーク１００における各ｅＮＢは、ＨＯパラメータに対応するＵＥの活動タイプに対応するそのＨＯパラメータのそれぞれに対する値を有することができる。例えば、通信ネットワーク１００における各ｅＮＢに対して、ｅＮＢのＨＯパラメータは、例えば、ＬＴＥ  ＲＡＴを有する第１のセルと、ＬＴＥ  ＲＡＴを有する第２のセルなど、同じＲＡＴタイプのセル間のＲＡＴ内ＨＯオペレーションに対して使用されるＲＡＴ内ＨＯパラメータを含むことができる。さらに、ＨＯパラメータは、例えば、ＬＴＥ  ＲＡＴを有する第１のセルと、ユニバーサルモバイル通信システム（ＵＭＴＳ：ｕｎｉｖｅｒｓａｌ  ｍｏｂｉｌｅ  ｔｅｌｅｃｏｍｍｕｎｉｃａｔｉｏｎｓ  ｓｙｓｔｅｍ）、ＣＤＭＡ２０００、またはＷｉＭＡＸ  ＲＡＴを有する第２のセルなど、異なるＲＡＴタイプのセル間のＩＲＡＴ  ＨＯオペレーションに使用されるＩＲＡＴ  ＨＯパラメータを含むことができる。
【００６４】
ＲＡＴ内およびＩＲＡＴ  ＨＯパラメータに対する値は、各ｅＮＢに対して異なることができ、通信ネットワーク１００のオペレータのプリファレンスに従って選択され得る。さらに、ＵＥで使用されるサービスのタイプに応じて、異なる組のパラメータを使用することができる。例えば、インターネットアクセスなどのベスト・エフォートサービスに対する１組のパラメータ、ボイス・オーバＩＰ（ＶｏＩＰ）コールなどの実時間サービスのための別の組、および最後に、他のタイプのサービスのための他の組が存在し得る。例えば、各ｅＮＢは、各ＵＥの活動タイプに対応する１組のＨＯパラメータを有することができる（それは、前に述べたように、例えば、１組はベスト・エフォート用に、他の組は音声などの実時間サービス用になど、サービスタイプに基づいて異なる組を含むことができる）。例えば、各ｅＮＢは、ＵＳ−ＨＳ活動タイプのＵＥに対するＲＡＴ内ＨＯパラメータセット、ＵＥ−ＬＳＣＣ活動タイプのＵＥに対する他のＲＡＴ内ＨＯパラメータセット、ＵＥ−ＬＳＢＣ活動タイプのＵＥに対する他のＲＡＴ内ＨＯパラメータセット、およびデフォルトのＲＡＴ内ＨＯパラメータセットを有することができる。さらに、各ｅＮＢは、ＵＥ−ＬＳＢＣＩ活動タイプのＵＥに対するＩＲＡＴ  ＨＯパラメータセット、およびデフォルトのＩＲＡＴ  ＨＯパラメータセットを有することができる。各ｅＮＢに対して、ＲＡＴ内およびＩＲＡＴ  ＨＯパラメータセットのそれぞれにおける値は、通信ネットワーク１００のオペレータのプリファレンスに従って設定することができる。デフォルトのＲＡＴ内ＨＯパラメータセットは、ステップＳ２２０で、ＲＡＴ内ＵＥ活動タイプのＵＥ−ＨＳ、ＵＥ−ＬＳＣＣ、またはＵＥ−ＬＳＢＣのいずれにも該当しないと判定されたＵＥに対応する。デフォルトのＩＲＡＴ  ＨＯパラメータセットは、ステップＳ２２０で、ＩＲＡＴ  ＵＥ活動タイプＵＥ−ＬＳＢＣＩに該当しないと判定されたＵＥに対応する。
【００６５】
図２を参照すると、ステップＳ２３０が完了した後、ステップＳ２４０で、ｅＮＢ１１０Ａは、第１のｅＮＢ１１０Ａに接続されている間に示された第１のＵＥの挙動に基づいて、ステップＳ２１０で受け取ったＵＥ履歴を更新することができる。例えば、第１のＵＥ１２２が、異なるｅＮＢのセルにハンドオーバされる結果になるＨＯイベントに参加していることを第１のｅＮＢ１１０Ａに示す場合、第１のｅＮＢ１１０Ａは、ステップＳ２１０に関して上記で論じたセル情報を含む第１のＵＥ１２２のＵＥ履歴におけるＲＡＴ内情報に、エントリを追加することができる。同様に、第１のｅＮＢ１１０Ａが、複数のセルに無線通達範囲を提供する場合、第１のＵＥ１２２が、第１のｅＮＢ１１０Ａの通達範囲に含まれるセル間で変わるごとに、第１のｅＮＢ１１０Ａは、ステップＳ２１０に関して上記で論じたセル情報を含む第１のＵＥ１２２のＵＥ履歴にエントリを追加することができる。
【００６６】
ステップＳ２５０で、第１のｅＮＢ１１０Ａは、更新されたＵＥ履歴をＭＭＥ１３０に送ることができる。例えば、第１のＵＥ１２２が、異なるｅＮＢのセルにハンドオーバされる結果となるＲＡＴ内ＨＯイベントに参加していることを第１のｅＮＢ１１０Ａに示したとき、第１のｅＮＢ１１０Ａは、ＨＯプロセスの一部として、更新されたＵＥ履歴をＭＭＥ１３０に送ることができる。例えば、第１のｅＮＢ１１０Ａは、ＭＭＥ１３０へのＵＥコンテキスト解放完了メッセージ（ｒｅｌｅａｓｅ  ｃｏｍｐｌｅｔｅ  ｍｅｓｓａｇｅ）で、ＵＥ履歴をＭＭＥ１３０に送ることができる。例えば、第１のｅＮＢ１１０Ａにより使用されるＵＥコンテキスト解放完了メッセージは、３ＧＰＰ仕様ＴＳ２３．４０１で定義されたものとすることができる。さらに、ステップＳ２５０で、第１のＵＥ１２２がＩＲＡＴ  ＨＯイベントに参加している場合、ＭＭＥ１３０は、ステップＳ２１０を参照して上記で論じたように、ＭＭＥ１３０が第１のＵＥ１２２のＵＥ履歴におけるＩＲＡＴ情報を更新するために使用できるＳ１解放またはＳ１  ＨＯメッセージを受け取ることになる。
【００６７】
したがって、少なくとも１つの例示的な実施形態によれば、通信ネットワーク１００におけるｅＮＢは、複数のセルおよび複数のｅＮＢにわたる各ＵＥの挙動を詳細に示すＵＥ履歴を用いて、ＵＥにユーザ体験の望ましい品質を提供することと、ＨＯイベントの量を減らすことによりネットワーク資源に対する負荷を減らすことの２つの利益の間のバランスを提供するために、ＨＯパラメータをどのように調整するのが最適であるかに関するインテリジェントな判断を行うことができる。
【００６８】
図３は、少なくとも１つの例示的な実施形態に従って、ＨＯパラメータを更新するのを容易にするためにＵＥ履歴情報を提供するプロセスを示す流れ図である。図３は、ＭＭＥ１３０の観点から、図１Ａの通信ネットワーク１００を参照して述べられる。しかし、ＭＭＥ１３０に関して以下で述べられるオペレーションは、通信ネットワーク１００における任意のＭＭＥにより実施することができる。
【００６９】
ステップＳ３１５では、ＭＭＥ１３０は、第１のｅＮＢ１１０Ａからサービス要求を受け取ることができる。例えば、第１のＵＥ１２２が第１のｅＮＢ１１０Ａの通達領域に入った後、第１のＵＥ１２２は、第１のｅＮＢ１１０Ａに接続するための要求を送ることができる。接続するための要求は、例えば、非アクセス層（Ｎｏｎ  Ａｃｃｅｓｓ  Ｓｔｒａｔｕｍ）、すなわち、３ＧＰＰ仕様ＴＳ２３．４０１により定義されるサービス要求とすることができる。要求は、第１のｅＮＢ１１０Ａで受信され、知られたプロシージャに従って、第１のｅＮＢ１１０ＡによりＭＭＥ１３０に転送され得る。
【００７０】
ステップＳ３２０では、ＭＭＥ１３０は、第１のＵＥ１２２のＵＥ履歴を第１のｅＮＢ１１０Ａに送ることができる。例えば、ステップＳ３２０で、第１のｅＮＢ１１０ＡからのＭＭＥ１３０で受信された要求に応じて、ＭＭＥ１３０は、第１のＵＥ１２２のＵＥ履歴をｅＮＢ１１０Ａに送ることができる。例えば、ＭＭＥ１３０は、ｅＮＢ１１０Ａへの初期コンテキスト設定要求メッセージで、ＵＥ履歴をｅＮＢ１１０Ａに送ることができる。例えば、ｅＮＢ１１０Ａにより受信された初期コンテキスト設定要求メッセージは、３ＧＰＰ仕様ＴＳ２３．４０１で定義されたものとすることができる。ＵＥ履歴の内容は、図２を参照して上記で論じたものと同じとすることができる。通信ネットワーク１００に接続されたＵＥに対応する複数のＵＥ履歴は、ＭＭＥ１３０で、例えば、ＭＭＥ１３０の記憶ユニット１５６に記憶することができる。ステップＳ３１５で接続要求を受信した後、ＭＭＥ１３０は、接続要求で示されたＵＥに対応するＵＥ履歴を識別することができる。
【００７１】
ステップＳ３３０で、ＭＭＥ１３０は、第１のｅＮＢ１１０Ａから第１のＵＥ１２２のＵＥ履歴の更新されたバージョンを受け取る。
【００７２】
例えば、第１のＵＥ１２２が、第１のｅＮＢ１１０Ａが無線通達範囲を提供しているセルに接続されている間、第１のｅＮＢ１１０Ａは、図２のステップＳ２４０を参照して上記で述べたように、第１のＵＥ１２２に関するＵＥ履歴に、第１のＵＥ１２２の挙動に関する情報を記憶することができる。さらに、第１のＵＥ１２２が、異なるｅＮＢのセルにハンドオーバされる結果となるＨＯイベントに参加していることを第１のｅＮＢ１１０Ａに示したとき、ＭＭＥ１３０は、ステップＳ２５０に関して上記で述べたように、ＨＯプロセスの一部として、第１のｅＮＢ１１０Ａから更新されたＵＥ履歴を受け取ることができる。例えば、ＭＭＥ１３０は、ＭＭＥ１３０へのＵＥコンテキスト解放完了メッセージで、第１のｅＮＢ１１０ＡからＵＥ履歴を受け取ることができる。例えば、第１のＭＭＥ１３０で受信したＵＥコンテキスト解放完了メッセージは、３ＧＰＰ仕様ＴＳ２３．４０１で定義されたものとすることができる。
【００７３】
したがって、ＭＭＥ１３０は、通信ネットワーク１００における１つもしくは複数のＵＥ、またはすべてのＵＥのＵＥ履歴を記憶する中心位置として働く。ＵＥ履歴は、各ｅＮＢで更新された後、ＭＭＥに記憶されるので、ＭＭＥに記憶されたＵＥ履歴は、複数のｅＮＢにわたる複数のセルから収集された情報を反映することができ、したがって、ＭＭＥ１３０からＵＥ履歴を受け取る各ｅＮＢに、ＨＯパラメータ更新判断の基礎となるより詳細な情報を提供する。
【００７４】
例示的な諸実施形態がこのように述べられているが、それらは、多くの点で変わり得ることは自明であろう。このような変形形態は、例示的な実施形態からの逸脱として見なされるべきではなく、このような変更はすべて、例示的な実施形態の範囲内に含まれることが意図されている。
【図１Ａ】
2016513936.tif 000003
【図１Ｂ】
2016513936.tif 000004
【図１Ｃ】
2016513936.tif 000005
【図２】
2016513936.tif 000006
【図３】
2016513936.tif 000007
【国際調査報告】
2016513936.tif 000008
2016513936.tif 000009
2016513936.tif 000010
2016513936.tif 000011
2016513936.tif 000012